(57)【要約】【課題】  苗や肥料の補充作業時に、操縦席から立ち上がって走行車体を移動する作業者の移動を規制しない構成のサンバイザを備える苗移植機を提供する。【解決手段】  走行車体１の後部に苗を土壌面に植え付ける苗植付部８と肥料を供給する施肥装置１４を設け、走行車体１にバイザピラー１０を介して運転席１１の上方を覆うバイザ１６を設け、バイザ１６に運転席１１の上方を覆う前端狭幅部１２と、運転席１１の後部のリアフロア１３及び施肥装置１４の上方部を覆う後端広幅部１５を形成して平面視で略台形状に形成すると共に、このバイザ１６は、上側面を谷条１７と山条１８を交互に形成した波型板１９で形成し、これら各谷条１７線を山条１８線を後端下りの傾斜に構成する、又は谷条１７線と山条１８線の後端縁を、施肥装置１４の後側部に位置する苗植付部８の上部の苗受桟ガイド２０の上方位置に臨ませて配置する。【選択図】  図２
2016086666.tif 000002
【特許請求の範囲】
【請求項１】
走行車体（１）の後部に苗を土壌面に植え付ける苗植付部（８）と肥料を供給する施肥装置（１４）を設け、該走行車体（１）にバイザピラー（１０）を介して運転席（１１）の上方を覆うバイザ（１６）を設け、該バイザ（１６）に運転席（１１）の上方を覆う前端狭幅部（１２）と、前記運転席（１１）の後部のリアフロア１３及び前記施肥装置（１４）の上方部を覆う後端広幅部（１５）を形成して、平面視で略台形状に形成したことを特徴とする苗移植機。
【請求項２】
前記バイザ（１６）は、上側面を谷条（１７）と山条（１８）を交互に形成した波型板１９で形成し、これら各谷条（１７）線を山条（１８）線を後端下りの傾斜に構成する、又は該谷条（１７）線と山条（１８）線の後端縁を、前記施肥装置（１４）の後側部に位置する前記苗植付部（８）の上部の苗受桟ガイド（２０）の上方位置に臨ませて配置したことを特徴とする請求項１に記載の苗移植機。
【請求項３】
前記バイザピラー（１０）を、前記施肥装置（１４）の施肥ホッパ（２１）の後側位置に配置し、この施肥ホッパ（２１）の後側部に、前後に回動してこのホッパ口（２２）を開閉するホッパ蓋（２３）を設け、前記バイザピラー（１０）との間には、このホッパ蓋（２３）の後側回動による開口姿勢位置を形成維持するストッパ（２４）を設けたことを特徴とする請求項１または２に記載の苗移植機。
【請求項４】
前記バイザピラー（１０）は、アクチュエータ（２５）によって上下伸縮可能に設けて、前記バイザ（１６）の高さを調節可能に構成したことを特徴とする請求項１から３のいずれか１項に記載の苗移植機。
【請求項５】
前記アクチュエータ（２５）は、苗植付部（８）における苗の減少を検出する苗センサ（２６）、施肥装置（１４）における肥料量の減少を検出する肥料センサ（２７）、または走行車体（１）の走行クラッチの切状態を検出するクラッチセンサ（２８）の検出により、前記バイザ（１６）を上昇させることを特徴とする請求項４に記載の苗移植機。
【発明の詳細な説明】
【技術分野】
【０００１】
この発明は、乗用運転形態で多条植形態の苗移植機において、運転席の上部を覆うサンバイザを設ける構成に関し、植付作業操作を行い易くするものである。
【背景技術】
【０００２】
苗移植機の運転席の上方部を覆うサンバイザを設ける技術（例えば、特許技術文献１参照）が知られている。
【先行技術文献】
【特許文献】
【０００３】
【特許文献１】特開２０１２−１９６１５０号公報
【発明の概要】
【発明が解決しようとする課題】
【０００４】
上記の苗移植機は、多条植形態の植付装置を装着して、走行車体の前部には補給苗を収容する補助苗枠を配置して、所定量のマット苗を積載運搬する。そして、植付装置の苗が減少すると、補助苗枠に積載したマット苗を植付装置へ補給することにより、長行程の植付作業を継続することができるので、植付作業性が向上する。
【０００５】
また、車体の後部には各植付条の土壌面に施肥する施肥装置を設けて、多条施肥形態とすることが多い。
このような多条植形態の苗移植機では、運転者が車体上の運転席横側のサイドフロア上面を前後に移動しながら、マット苗の補給作業や、肥料の補給作業等を行う必要がある。この補給作業を行うとき、運転席の前側や横側にサンバイザのピラー（支柱）があると、作業者がサイドフロア上面を移動するときの邪魔になり易く、作業者の移動範囲が制限されて、作業能率が低下する問題がある。
【課題を解決するための手段】
【０００６】
請求項１に記載の発明は、走行車体（１）の後部に苗を土壌面に植え付ける苗植付部（８）と肥料を供給する施肥装置（１４）を設け、該走行車体（１）にバイザピラー（１０）を介して運転席（１１）の上方を覆うバイザ（１６）を設け、該バイザ（１６）に運転席（１１）の上方を覆う前端狭幅部（１２）と、前記運転席（１１）の後部のリアフロア１３及び前記施肥装置（１４）の上方部を覆う後端広幅部（１５）を形成して、平面視で略台形状に形成したことを特徴とする苗移植機とする。
【０００７】
平面視台形状に形成したバイザ（１６）は、短辺側の前端狭幅部（１２）が運転席（１１）上方に位置することにより、作業者が運転席（１１）からサイドフロア（２９）上面を移動する際、運転席（１１）の左右の上方に支持構成部材が設置されないため、作業者は頭上を意識することなく移動でき、作業性、作業能率が向上する。又、バイザ（１６）の長片側が後端広幅部（１５）として施肥装置（１４）の上方を覆うように構成することにより、施肥装置（１４）を左右方向に亘って降雨から防護することができ、施肥ホッパ（２１）に肥料を補給投入する際に、雨水が浸入することを防止できる。
【０００８】
運転席（１１）の上方部を覆うバイザ（１６）は、この運転席（１１）後側部バイザピラー（１０）によって支持されているので、運転席（１１）の前側や左右両側部は開放形態であり、運転者が移動し易く、また前方視界が広くなるので、作業性や操作性が向上する。
【０００９】
このバイザ（１６）は運転席（１１）の上方部を前端狭幅部（１２）とし、後側施肥装置（１４）上側部の後端広幅部（１５）として平面視で台形に形成することにより、運転席（１１）側方の上方が開放され、運転者や補助作業者が前後に自由に移動し易くする。
【００１０】
また、バイザ（１６）を台形に形成したことにより作業者が施肥装置（１４）まで支障なく移動して、植付装置（８）への苗補給作業や、施肥装置（１４）への肥料補給等の作業が行い易くなる。
【００１１】
請求項２に記載の発明は、前記バイザ（１６）は、上側面を谷条（１７）と山条（１８）を交互に形成した波型板１９で形成し、これら各谷条（１７）線を山条（１８）線を後端下りの傾斜に構成する、又は該谷条（１７）線と山条（１８）線の後端縁を、前記施肥装置（１４）の後側部に位置する前記苗植付部（８）の上部の苗受桟ガイド（２０）の上方位置に臨ませて配置したことを特徴とする請求項１に記載の苗移植機とする。
【００１２】
バイザ（１６）は、前端狭幅部（１２）で運転席（１１）の上方部を覆い、後端広幅部（１５）で施肥装置（１４）の上方部を覆うので、このバイザ（１６）で受けた雨水は、山条（１８）間の谷条（１７）部に沿って後端縁へ流下され、施肥装置（１４）の後側部に位置する苗植付部（８）の上部に設ける苗受桟ガイド（２０）に流下される。
【００１３】
この苗受桟ガイド（２０）の上側面にマット苗が搭載されているときは、苗受桟ガイド（２０）上のマット苗の上面に雨水が流下されるので、苗タンク（８）の上側面への流下水量を少なくすることができる。
【００１４】
請求項３に記載の発明は、前記バイザピラー（１０）を、前記施肥装置（１４）の施肥ホッパ（２１）の後側位置に配置し、この施肥ホッパ（２１）の後側部に、前後に回動してこのホッパ口（２２）を開閉するホッパ蓋（２３）を設け、前記バイザピラー（１０）との間には、このホッパ蓋（２３）の後側回動による開口姿勢位置を形成維持するストッパ（２４）を設けたことを特徴とする請求項１または２に記載の苗移植機とする。
【００１５】
走行車体（１）の後部のリアフロア（１３）上に設置される施肥装置（１４）は、上側にホッパ口（２２）を形成すると共に、開閉可能のホッパ蓋（２３）を有する施肥ホッパ（２１）により構成される。
【００１６】
植付作業に伴って施肥作業するときは、この施肥ホッパ（２１）の左右幅に亘って肥料を収容させ、施肥装置（１４）は植付作業に伴って施肥ホッパ（２１）内の肥料を苗の植付位置の土壌面に繰出して供給する。この施肥ホッパ（２１）の肥料が減少すると、作業者はホッパ蓋（２３）を後側に回動させ、ホッパ蓋（２３）の後側のバイザピラー（１０）に設けたストッパー（２４）に係止させて、ホッパ口（２２）を開口状態で維持させる。
【００１７】
このような開口状態のホッパ口（２２）に、作業者は肥料袋口を臨ませて補助肥料を補給すると共に、肥料の補給が終ると、ストッパー（２４）の係止を解除してホッパ蓋（２３）を前側に回動させてホッパ口（２２）を閉じ、施肥作用を行わせる。このような施肥ホッパ（２１）の開閉、及び肥料補給時においても、バイザ（１６）が上側面部を常時覆っているので、雨水などの落下が防止される。
【００１８】
請求項４に記載の発明は、前記バイザピラー（１０）は、アクチュエータ（２５）によって上下伸縮可能に設けて、前記バイザ（１６）の高さを調節可能に構成したことを特徴とする請求項１から３のいずれか１項に記載の苗移植機とする。
【００１９】
バイザ（１６）を支持するバイザピラー（１０）は、伸縮シリンダ等のアクチュエータ（２５）によって伸縮可能に構成されていることにより、作業者の身長等の条件に応じて、バイザ（１６）の上下位置を移動調節することができる。
【００２０】
請求項５に記載の発明は、前記アクチュエータ（２５）は、苗植付部（８）における苗の減少を検出する苗センサ（２６）、施肥装置（１４）における肥料量の減少を検出する肥料センサ（２７）、または走行車体（１）の走行クラッチの切状態を検出するクラッチセンサ（２８）の検出により、前記バイザ（１６）を上昇させることを特徴とする請求項４に記載の苗移植機とする。
【００２１】
バイザ（１６）を支持するバイザピラー（１０）をアクチュエータ（２５）の伸縮によって昇降移動するが、このアクチュエータ（２５）を苗移植機の各部の作業状態を検出する苗センサ（２６）、肥料センサ（２７）、又はクラッチセンサ（２８）によって制御することができる。
【００２２】
例えば、運転者が運転席（１１）で運転操作するときは、バイザ（１６）の位置を低く設定しておき、苗補給作業や肥料補給作業等を行うべくバイザ（１６）の位置を高くするように制御する。この制御は、苗センサ（２６）が苗植付部（８）における苗量が所定量以下に減少したことを検出することによって、アクチュエータ（２５）が伸長制御されることにより、バイザピラー（１０）を伸長させることでバイザ（１６）を所定の高さまで上昇させて、リアフロア（１３）での補助マット苗の補給作業を行い易くする。
【００２３】
また、施肥装置（１４）への肥料補給作業を行う形態では、この施肥ホッパ（２１）に設ける肥料センサ（２７）が、このホッパ（２１）内の肥料が所定量減少したことを検出するとアクチュエータ（２５）を伸長制御することで、バイザ（１６）を所定の高さに上昇させる。
【００２４】
さらには、前記苗補給や肥料補給を行うために、走行車体（１）の走行伝動を切状態にして、走行を一時停止する走行クラッチ（３１）が停止に操作されたことを検出するクラッチセンサ（２８）を設ける形態では、このクラッチセンサ（２８）の検出によってアクチュエータ（２５）を伸長制御させることで、バイザ（１６）を所定高さに上昇させる。
【発明の効果】
【００２５】
請求項１に記載の発明は、バイザ（１６）は、運転席（１１）の後側部のバイザピラー（１０）によって支持するものであり、運転席（１１）の横側や前側部には構成部材を配置しない開放形態であるから、バイザ（１６）の構成が簡潔であり、運転席（１１）前方部の障害物を無くして視界を広くすることができるので、作業性や操作性を高めることができ、軽量で安価な生産構成とすることができる。
【００２６】
また、バイザ（１６）は、運転席（１１）上方部を前端狭幅部（１２）として、施肥操作（１４）上方部を覆う後端広幅部（１５）とする平面視で台形に形成するものであるから、作業者が苗や肥料の補充といった補助作業をするときは、バイザ（１６）の張出域を少なくして施肥装置（１４）や苗植付部（８）等に移動して近付きやすくすることができるので苗補給作業や肥料補給作業等の能率が向上する。
【００２７】
請求項２に記載の発明は、請求項１に記載の発明の効果に加えて、バイザ（１６）を谷条（１７）部と山条（１８）部を並列形成した波型板（１９）によって構成し、この後端下りの傾斜によって雨水を流下させて、苗植付部（８）の上端部の苗受桟ガイド（２０）の上方位置にのぞませるものであるから、雨水があっても機体後方へ流下させて、苗受桟ガイド（２０）部上へ排水して、運転席（１１）上の作業者や、施肥装置（１４）への飛散を少なくすることができる。
【００２８】
また、バイザ（１６）は波型板（１９）に構成されるため、薄く軽量な板材によって、剛性を高める形態とすることができる。
さらに、このバイザ（１６）の後側傾斜下端縁部から流下される雨水を、施肥装置（１４）後側部の苗植付部（８）の前端部、苗受桟ガイド（２０）部上に的確に流下排水させることができ、雨水が苗植付部（８）上面に直接流下して、マット苗繰出作用の阻害を防止する。
【００２９】
請求項３に記載の発明は、請求項１または２に記載の発明の効果に加えて、サンバイザピラー（１０）にホッパ蓋（２３）の開口姿勢を受けるストッパ（２４）を設けたことにより、ホッパ蓋（２３）が後側へ開き過ぎるのを防止でき、肥料補給作業途中で強風圧等によって、ホッパ蓋（２３）が自然閉鎖されることを防止でき、ホッパ蓋（２３）の開閉を正確に行わせることができる。しかも、ホッパ蓋（２３）の後側部のバイザピラー（１０）を利用するものであるから、構成を簡単化し、安定させることができる。
【００３０】
請求項４に記載の発明は、請求項１から３のいずれか１項に記載の発明の効果に加えて、バイザピラー（１０）の高さをアクチュエータ（２５）によって伸縮作動させることにより、作業者の身長や作業内容、天候等の条件に合わせて作業の行い易い適切な上下のバイザ（１６）位置に設定することができる。
【００３１】
これにより、アクチュエータ（２５）を伸縮シリンダのようにバイザピラー（１０）の長さ方向に沿った形態として構成を簡潔化することができ、施肥ホッパ（２１）の後部において、作業者がこの施肥ホッパ（２１）越しの姿勢で後側の苗植付部（８）に対するマット苗補給する苗補給作業を邪魔しない構成とすることができる。
【００３２】
請求項５に記載の発明は、請求項４に記載の発明の効果に加えて、前記苗植付部（８）の苗の減少、施肥ホッパ（２１）の肥料の減少、または走行車体（１）を停止したときに、バイザ（１６）が自動的に上方に移動することにより、苗や、肥料の補給作業時に作業者がバイザ（１６）下を移動し易くなり、作業能率を向上できる。
【００３３】
しかも、各センサ（２６）、（２７）又は（２８）によって自動的に、迅速、的確に行うものであるから、操作性を高めることができる。
【図面の簡単な説明】
【００３４】
【図１】苗移植機の要部平面図
【図２】苗移植機の要部側面図
【図３】苗移植機のサンバイザ部の要部背面図
【図４】バイザピラーをホッパ蓋のストッパとする側面図
【図５】図４の一部の平面図
【図６】高さ調節可能なサンバイザの側面図
【図７】図６のアクチュエータを作動するブロック図
【図８】簡易キャビンの斜視図
【図９】簡易キャビンの作用状態を示す斜視図
【図１０】スロットルペダル部の斜視図
【図１１】苗移植機の平面図
【図１２】苗移植機の側面図
【発明を実施するための形態】
【００３５】
図１、図２、図１１及び図１２に示すとおり、ステアリングハンドル３２を有して操向自在の前輪３３と、後輪３４を配置して、高床形態の、前、後輪四輪駆動可能の車体１の後部に、リフトシリンダ３５の伸縮によって昇降回動されるリフトリンク９を介して、このリフトリンク９後端のローリング軸３７、及びヒッチリンク３８に植付装置８が装着される。
【００３６】
前記車体１の上部には、エンジン３９を搭載し、このエンジン３９上を覆うエンジンカバー４０の上側に運転席１１を配置し、これらエンジンカバー４０と、前方のダッシュボード４１と、この間のセンタフロア４２等との左右両側部に亘って、前輪３３上側部を覆う高さ位置にサイドフロア２９を配置し、更には、運転席１１の後側部には、左右両側部の後輪３４の上側を覆うフェンダ４３上側部間に亘ってリアフロア１３を形成して、左右両端部をサイドフロア２９の後端部に連結している。運転席１１の横側に位置するサイドフロア２９部には、昇降ステップ３６を設けている。
【００３７】
前記車体１の前部には、ミッションケース４４や、前輪３３軸を左右両側部に軸装するフロントアクスルハウジング４５，及び油圧無段変速装置４６等を配置して，前記エンジン３９からこの油圧無段変速装置４６を駆動することにより，ミッションケース４４のギヤを介して，フロントアクスルハウジング４５の前輪３３軸を伝動し，このミッションケース４４からリアアクスルハウジング４７に亘る後輪連動軸４９を介して後輪３４を伝動回転して走行することができる。
【００３８】
また、前記ミッションケース４４からＰＴＯ軸４８が後方へ取出されていて、前記植付装置８の入力軸５０や、リアフロア１３上の施肥装置１４等を連動する。
植付装置８は、多条植形態として、苗を供給する苗タンク５や、苗を植付ける植付装置７等を、車体１の走行幅方向に亘って４条〜８条植形態のように広幅域の植付付作業を行うように配置する。前記植付装置７は、前記ローリング軸３７を左右幅の中心として、左右両側部に幅広く形成された植付伝動ケース５１から両側に植付ケース５２を軸装し、この各植付ケース５２の外側部にダブルクランク機構形態の植付装置７を軸装して、先端部に形成の植付爪６を、側面視略楕円形状の植付軌跡線Ｄに沿って回転駆動して昇降させる。
【００３９】
この植付軌跡線Ｄの上端部から下降する行程を、苗タンク５ガイドレール８７の苗取出口４に通過させることによって、この苗取出口４に繰出されるマット苗を分離保持して、下方の土壌面を植付けることができる。各植付装置７の下側には、センタフロート２とサイドフロート３が配置されて、植付フレーム５３から突出するフロートアーム５４のフロート軸５５の周りに上下回動して、フロート２、３の上下方向の向い角を揺動する。
【００４０】
これら各フロート２、３の土壌面の滑走揺動によって、各植付爪６によって植付ける植付土壌面を均平するもので、特に中央部のセンタフロート２の滑走揺動によって、所定以上に大きい土壌面の深さ変化が検出されると、前記リフトシリンダ３５の油圧回路の制御弁を作動させて、このリフトシリンダ３５によってリフトリンク９を昇降させて、植付装置８を昇降させ、植付付深さを一定に維持するように制御する。
【００４１】
また、植付装置８の前側には、各フロート２、３の前側に代掻ロー夕５６を配置して、連動軸５７で連動して後輪３４等で荒された土壌面を均平する直前行程で掻き均らす。
前記車体１の後端に設けるリフトリンク９支持のリアフレーム５８上に、施肥装置１４を搭載している。施肥装置１４は、上端部に粉，粒剤からなる肥料を収容する施肥ホッパー２１を有し、この下部に各フロート２、３の滑走する土壌面に形成される施肥溝部に、施肥案内する繰出装置６０や、施肥パイプ６１施肥ホース６２等を配置する。前記施肥パイプ６１は、送風ダクト６３を連通して、この送風ダクト６３から送られる風圧によって各施肥ホース６２内の肥料を土壌面の施肥溝部へ噴送して施肥させる。
【００４２】
前記施肥ホッパ２１はリアフロア１３の全横幅に亘って幅広く形成して、植付装置８の多条植幅域に対向させている。施肥ホッパ２１の上端には一連に開口されるホッパ口２２を形成し、この上側に開閉する一枚板状形態のホッパ蓋２３を蝶番６４によって開閉回動自在に設けている。
【００４３】
前記苗タンク５に補給する補助苗を収容する補助苗枠６５、及び補助苗枠６７を、車体１前端部の左右両側部に配置する。サイドフロア２９の外側端部の立設した補助苗枠６７の上部に数段の補助苗枠６６を設けて、マット苗を載置して運搬することができる。
【００４４】
前記上部の苗載棚６５は、支持リンク６８を介して、前後に回動移動させて、前方へ回動させたときは、下側の苗載棚６６の前側に接続させて、前後方向に長い一連の苗載棚を形成して、機外前方部位置からのマット苗の積込作業を行い易くする。
【００４５】
また、これら補助苗枠６５、６６の下側部、乃至、サイドフロア２９の前端面と略同高さ位置に、このサイドフロア２９の延出面のサブフロア６９を形成して、マット苗を収容する空苗箱を保持したり、肥料を収容した肥料袋を載置することができる。７０はハンドルで、上部の苗載棚６５を前後に移動操作する。
【００４６】
ここにおいて，走行車体１の後部に、植付土壌面を滑走均平するフロート２、３、収容マット苗を苗取出口４へ繰出す苗タンク５、及び植付付爪６をこの苗取出口４部に繰出される苗を分離保持して前記均平土壌面へ植付ける植付装置７等からなる多条植形態の植付装置８を、リフトリンク９を介して昇降可能に連結し、この車体１後部のバイザピラー１０に、運転席１１上方部を覆う前端狭幅部１２と、運転席１１後部のリアデッキ、乃至リアフロア１３、またはこれらの上側に搭載の施肥装置１４の上方部を覆う後端広幅部１５を形成して、平面視で略台形状に形成したサンバイザ１６を設けたことを特徴とする苗移植機のサンバイザの構成とする。
【００４７】
平面視台形状に形成したサンバイザ１６は、短辺側の前端狭幅部１２が運転席１１上方に位置することにより、作業者が運転席１１からサイドフロア２９上面を移動する際、運転席１１の左右の上方に支持構成部材が設置されないため、作業者は頭上を意識することなく移動でき、作業性、作業能率が向上する。
【００４８】
また、サンバイザ１６の長片側が後端広幅部１５として施肥装置１４の上方を覆うように構成することにより、施肥装置１４を左右方向に亘って降雨から防護することができ、施肥ホッパ２１に肥料を補給投入する際に、雨水が浸入することが防止できる。
【００４９】
運転席１１の上方部を覆うサンバイザ１６は、この運転席１１後側部バイザピラー１０によって支持されて、運転席１１の前側や、左右両側部は、ピラーの構成がない開放形態であり、運転者の移動や、圃場苗等の取扱い移動振り回し移動し易く、前方視界が広くなり、作業性、操作性を高めることができる。このサンバイザ１６は、運転席１１上方部を前端狭幅部１２とし、後側施肥装置１４上側部の後端広幅部１５として、平面視台形状に形成するため、運転席１１横側のサイドフロア２９上方を広く開放して、運転者や、補助作業者が前後に自由に移動し易い状態にある。
【００５０】
そして、サンバイザ１６は前端精幅部１２とした台形状形態であるから、作業者がサイドフロア２９上面を後端部の施肥装置１４近くの位置まで支障なく移動して、植付装置８に対する苗補給や、施肥装置１４に対する肥料補給等の作業を行う易くする。
【００５１】
また，前記サンバイザ１６は、上側面を谷条１７と山条１８を交互に形成した波型板１９で形成し、これら各谷条１７線と山条１８線を後端下りの傾斜に構成し、又は、これら谷条１７線と山条１８線の後端縁を、前記施肥装置１４の後側部に位置する苗タンク８の上端部の苗受銭ガイド２０の上方位置にのぞませて設ける。
【００５２】
前記サンバイザ１６は、前端狭幅部１２で運転席１１上方部を覆い、後端広幅部１５で施肥装置１４上方部を覆うため、このサンバイザ１６で受けた雨水は、山条１８間の谷条１７部に沿って後端縁へ流下されて、前記施肥装置１４の後側部に位置する苗タンク８上端部の苗受桟ガイド２０の上側に流下される。この苗受桟ガイド２０の上側面にマット苗が搭載されているときは、このガイド２０上のマット苗の上面に雨水が流下されて、このマット苗層を通過して下方の土壌面へ流下されて、苗タンク８上側面への流下水量を少なくする。
【００５３】
また、前記バイザピラー１０を、前記施肥装置１４の施肥ホッパ２１の後側位置に配置し、この施肥ホッパ２１の後側部に、前後に回動してこのホッパ口２２を開閉するホッパ蓋２３を設け、前記バイザピラー１０との間には、このホッパ蓋２３の後側回動による開口姿勢位置を形成維持するストッパ２４を設ける。
【００５４】
走行車体１の後端部のリアフロア１３上に設置される施肥装置１４は、上端部にホッパ口２２を形成して、開閉可能のホッパ蓋２３を有する施肥ホッパ２１を、植付装置８の多条植形態に対応して左右横幅広くして構成される。植付作業に伴って施肥作業するときは、前記施肥ホッパ２１の全幅に亘って粉粒剤からなる肥料を収容させておき、植付作業に伴って施肥装置１４の連動によって施肥ホッパ２１内の肥料を植付付位置の土壌面に繰出施肥させる。
【００５５】
この施肥ホッパ２１の肥料が減少すると、作業者がガイドフロア２９の後端部から、ホッパ蓋２３を後側上部へ回動して、ホッパ蓋２３後側のバイザピラー１０のストッパー２４に係止させて、ホッパ口２２を開口状態に維持させる。このような開口状態のホッパ口２２に、作業者が肥料袋口を臨ませて補助肥料を補給する。
【００５６】
補助肥料の補給が終ると、ストッパ−２４からの係止を外したホッパ蓋２３を前側へ回動させて、ホッパ口２２を閉鎖して、施肥作用を行わせることができる。このような施肥ホッパ２１の開閉、及び肥料補給時においてもサンバイザ１６が上側面部を常時覆っている。
【００５７】
さらに、前記バイザピラー１０は、アクチュエータ２５によって上下伸縮可能に設けて、前記サンバイザ１６の高さ変更、調節することができる。
前記サンバイザ１６を支持するバイザピラー１０は、伸縮シリンダの如きアクチュエータ２５によって、伸縮可能に構成されているため、運転席１１や、サイドフロア２９等の作業者の作業高さや、身長等に応じて、サンバイザ１６を上下移動調節することができる。
【００５８】
また、前記アクチュエータ２５は、苗タンク５における苗量減少を検出する苗センサ２６、施肥装置１４における肥料量減少を検出する肥料センサ２７、又は、走行車体１における連動クラッチの切り状態を検出するクラッチセンサ２８等の検出によって、前記サンバイザ１６を上昇するように制御する。
【００５９】
前記サンバイザ１６を支持するバイザピラー１０をアクチュエータ２５の伸縮によって昇降移動するが、このアクチュエータ２５を苗移植機の各部の作業状態を検出する苗センサ２６、肥料センサ２７、又はクラッチセンサ２８によって、出力制御することができる。
【００６０】
例えば、運転者が運転席１１で運転操作するときは、サンバイザ１６の位置を低く設定しておき、苗補給作業や、肥料補給作業等を行うときは、高く設定するような場合は、苗センサ２６が、苗タンク５における苗量が所定量以下に減少したことを検出することによって、コントローラ３０を介してアクチュエータ２５を伸長させて、バイザピラー１０を身長し、サンバイザ１６を所定の高さに上昇させて、サイドフロア２９の後端部、乃至リアフロア１３部からの補助マット苗の補給作業を行い易くする。
【００６１】
また、施肥装置１４に対する肥料補給作業を行う形態では、この施肥ホッパ２１における肥料センサ２７が、このホッパ２１内の肥料が所定量減少することにより、この減少を検出して、前記コントローラ３０を介してアクチュエータ２５を伸長させて、サンバイザ１６を所定の高さに上昇させる。
【００６２】
さらには、前記苗補給や、肥料補給を行うために、走行車体１の走行伝動を切りにして、走行を一時停止する走行クラッチ３１、及びこのクラッチ３１の停止切り位置を検出するクラッチセンサ２８を設ける形態では、このクラッチセンサ２８の検出によって、前記コントローラ３０を介してアクチュエータ２５を伸長させて、サンバイザ１６を所定高さに上昇させる。
【００６３】
次に、図８、図９に基づいて、苗移植機車体１に合成樹脂材からなるパネルを用いて簡易キャビンを構成したもので、四角状のルーフパネル７１の前辺縁７２にフロントパネル７３の上端縁を接合して、前下り傾斜に形成し、ルーフパネル７１の後辺縁７４には、リアパネル７５の上端縁を上下回動可能に連結して、キャビンの後側窓部を開閉する形態とする。
【００６４】
また、ルーフパネル７１の前後左右の四角部には、車体１上にこのルーフパネル７１を支持するフロントピラー７６と、リアピラー７７が配置されて、これら各ピラー７６、７７の下端部を車体１の取付ブラケットに支持させて取付けることによって、キャビンを構成することができる。フロントパネル７３の左右両端縁は、左右のフロントピラー７６に接合連結し、下端縁はダッシュボード４１の上面や、左右両側面等に接合させる。
【００６５】
左右両側部のフロントピラー７６と、リアピラー７７との間には、上下中間部に折畳ヒンジ７８を有したドアサイドパネル７９、８０を構成する。これらドアパネル７９の上端縁を、前記ルーフパネル７１の側縁部に対して、上下回動可能にヒンジ８１連結して、ドアパネル７９、８０をヒンジ７８周りに折畳回動しながら、ヒンジ８１周りに上方へ回動することによって、ドア口部８２を開くことができる（図９）。
【００６６】
このようにドアパネル７９に対して下側のドアパネル８０をヒンジ７８周りに折畳回動したり、又は、逆にドア口部８２を閉めるために、ドアパネル８０を下方へ開回動するときの円滑な案内作用を行わせるために、ドアパネル８０の前後した端部にガイドロール８３を設けて、このガイドロール８３をフロントピラー７６と、リアピラー７７のガイドレールに嵌合させて、上下に摺動案内させることによって、運転作業者が、ハンドル８４を持って上下動してドアパネル７９、８０を容易に開閉操作することができる。
【００６７】
また、前記リアパネル７５の左右側縁部、又は、上部のドアパネル７９の後側縁部には、上下折畳回動可能のサイドパネル８５を構成することもできる。この場合は、広幅の施肥装置１４の上側を幅広く覆うことができる。
【００６８】
前記キャビンルームの空調するエアコンユニット８６は、サイドフロア２９の下側部に配置して、空調ダクトを介してキャビンルームへエアー循環させる形態とする。
前記フロントパネル７３や、ドアパネル７９、８０、及びリアパネル７５等は透明性良好で、耐久性である材質であることが好ましく、特に、フロントンパネル７３は、正面中央部分等、常時透視する部分域を、部分的にガラス製として、正確な透視性を維持するように構成することが可能である。
【００６９】
次に、図１０において、前記エンジン３９から走行車輪３３、３４に亘る動力伝達係を操作するブレーキペダル９０の内側近くにスロットルペダル９１を平行状に並べて配設して、運転席１１上での運転者による踏込操作を、行い易くしたものである。
【符号の説明】
【００７０】
１  走行車体
８  苗植付部
１０  バイザピラー
１１  運転席
１２  前端狭幅部
１３  リアフロア
１４  施肥装置
１５  後端広幅部
１６  サンバイザ
１７  谷条
１８  山条
１９  波型板
２０  苗受桟ガイド
２１  施肥ホッパ
２２  ホッパ口
２３  ホッパ蓋
２４  ストッパ
２５  アクチュエータ
２６  苗センサ
２７  肥料センサ
２８  クラッチセンサ
２９  サイドフロア
３１  走行クラッチ
【図１】
2016086666.tif 000003
【図２】
2016086666.tif 000004
【図３】
2016086666.tif 000005
【図４】
2016086666.tif 000006
【図５】
2016086666.tif 000007
【図６】
2016086666.tif 000008
【図７】
2016086666.tif 000009
【図８】
2016086666.tif 000010
【図９】
2016086666.tif 000011
【図１０】
2016086666.tif 000012
【図１１】
2016086666.tif 000013
【図１２】
2016086666.tif 000014